(57)【要約】【課題】１台の装置で、蓄積素材やライブ動画素材に対し選択的に映像・音声効果や音声差し替え等の特殊効果付き自動送出を可能にしたサーバ装置を提供する。【解決手段】静止画、動画、ライブ動画、音声といった複数の放送素材データをそれぞれデコーダ１１〜１４により一旦デコードした後、自動送出制御装置３から送られるプレイリストデータに応じて、映像音声効果部１７にて映像音声記録部１９への記録処理、映像音声記録部１９からの再生処理、特殊効果を加える処理、編集効果を加える処理、対応するエンコーダ１５,１６へのスルー処理のうち少なくとも１つを選択的に実行してエンコーダ１５、１６により符号化して出力チャンネルに送出するようにしている。【選択図】      図１
2007243573.tif 000002
【特許請求の範囲】
【請求項１】
映像データ及び音声データのいずれか１つもしくはこれらの組み合わせを含む入力チャンネル毎の放送素材データを記録媒体に記録し、記録媒体に記録された複数の放送素材データをそれぞれ対応する出力チャンネルへ再生出力するサーバ装置において、
前記入力チャンネルごとに設けられ、前記放送素材データをベースバンドの放送素材信号に復号する復号部と、
入力された指示情報に応じて、これら複数の復号部により復号された複数の放送素材信号に対し、前記記録媒体への記録処理、前記記録媒体からの再生処理、特殊効果を加える処理、編集効果を加える処理、スルー処理のうち少なくとも１つを選択的に実行する信号処理部と、
前記出力チャンネルごとに設けられ、前記信号処理部の出力信号を前記放送素材データに符号化して前記出力チャンネルへ出力する符号化部とを具備したことを特徴とするサーバ装置。
【請求項２】
前記信号処理部は、前記指示情報に応じて、前記記録媒体中の蓄積素材同士の特殊効果付き再生、蓄積素材とライブ映像との特殊効果付き組み合わせ送出、ベースバンド映像にキー付き素材をスーパーインポーズして再生のうち少なくとも１つを実行することを特徴とする請求項１記載のサーバ装置。
【請求項３】
前記信号処理部は、前記指示情報に応じて、ベースバンド映像に付加されている音声素材を別の音声素材と差替え、合成、音声レベル可変のうち少なくとも１つを実行することを特徴とする請求項１記載のサーバ装置。
【発明の詳細な説明】
【技術分野】
【０００１】
この発明は、放送局内で放送に使用する映像信号／音声信号の記録または再生を行うサーバ装置に関する。
【背景技術】
【０００２】
周知のように、放送局内にあっては、例えばテレビジョン放送やラジオ放送の番組、ＣＭ（コマーシャル）、文字やデータによる番組等の放送番組データをメモリに記憶し、任意のタイミングでメモリから放送番組データを再生するビデオサーバが使用されている。
【０００３】
また、放送局では、ビデオサーバによる放送番組データの記録再生処理以外に、種々の用途に応じて放送番組データの切り替え、同期化、合成などの信号処理も必要不可欠となり、ビデオサーバの他に、複数のスタジオ機器が必要となる。
【０００４】
このため、システム構成の大型化を招くことになると共に、複数のスタジオ機器をそれぞれ制御しなければならない分、処理の複雑化を招く。
【０００５】
なお、従来では、メモリに蓄積された複数の映像データまたは複数の音声データをそれぞれデコーダで映像信号または音声信号に一旦復号し、これら複数の映像信号または複数の音声信号を合成する等といった特殊効果を施し、しかる後にエンコーダで符号化することで１台のサーバにより編集できるようにした手法も提案されている（例えば、特許文献１）。
【特許文献１】特開２００２−２３２８２７号公報。
【発明の開示】
【発明が解決しようとする課題】
【０００６】
しかしながら、上記手法では、メモリに蓄積された複数の映像データまたは複数の音声データを合成する等の特殊効果を付けることはできるが、例えばライブ映像と蓄積映像との合成、差替え等には柔軟に対応することができない。
【０００７】
そこで、この発明の目的は、１台の装置で、蓄積素材やライブ動画素材に対し選択的に映像・音声効果や音声差し替え等の特殊効果付き自動送出を可能にしたサーバ装置を提供することにある。
【課題を解決するための手段】
【０００８】
この発明は、上記目的を達成するために、以下のように構成される。  
映像データ及び音声データのいずれか１つもしくはこれらの組み合わせを含む入力チャンネル毎の放送素材データを記録媒体に記録し、記録媒体に記録された複数の放送素材データをそれぞれ対応する出力チャンネルへ再生出力するサーバ装置において、入力チャンネルごとに設けられ、放送素材データをベースバンドの放送素材信号に復号する復号部と、入力された指示情報に応じて、これら複数の復号部により復号された複数の放送素材信号に対し、記録媒体への記録処理、記録媒体からの再生処理、特殊効果を加える処理、編集効果を加える処理、スルー処理のうち少なくとも１つを選択的に実行する信号処理部と、出力チャンネルごとに設けられ、信号処理部の出力信号を放送素材データに符号化して出力チャンネルへ出力する符号化部とを備えるようにしたものである。
【０００９】
この構成によれば、複数の入力チャンネルの放送素材データをそれぞれ復号部により一旦放送素材信号に復号した後、入力された指示情報に応じて、記録媒体への記録処理、記録媒体からの再生処理、特殊効果を加える処理、編集効果を加える処理、スルー処理のうち少なくとも１つを選択的に実行して符号化部により放送素材データに符号化して出力チャンネルに送出するようにしている。すなわち、以前のサブスイッチャーの機能や音声ミキサの機能をサーバ装置内部の複数の復号部、信号処理部及び複数の符号化部により実現するようにしている。
【００１０】
従って、ニュース送出やライブ番組等の送出において、サブスイッチャーや音声ミキサ等をビデオサーバに接続する必要がなく、１台のビデオサーバのみで蓄積された静止画、動画、音声素材及びライブ映像に特殊効果等を付加することができ、これによりシステム構成の大型化及びコストアップを防止した上で多彩な演出が可能となる。
【発明の効果】
【００１１】
以上詳述したようにこの発明によれば、１台の装置で、蓄積素材やライブ動画素材に対し選択的に映像・音声効果や音声差し替え等の特殊効果付き自動送出を可能にしたサーバ装置を提供することができる。
【発明を実施するための最良の形態】
【００１２】
以下、この発明の実施形態について図面を参照して詳細に説明する。  
図１は、この発明に係わるビデオサーバが適用される放送送出システムの概略構成を示すブロック図で、符号１はビデオサーバである。なお、ここでは説明を簡単にするために、ビデオサーバ１の入力チャンネル（系統）数を４チャンネルとし、出力チャンネル数を２チャンネルとする。
【００１３】
第１入力チャンネルには、静止画発生装置等から再生された静止画データが入力され、第２入力チャンネルには、ビデオデッキ２から再生された動画データが入力され、第３入力チャンネルには回線等から送られるライブ動画データが入力され、第４入力チャンネルには音声データが入力される。
【００１４】
ビデオサーバ１において、第１〜第４入力チャンネルにはデコーダ１１〜１４が設けられており、第１及び第２出力チャンネルにはエンコーダ１５，１６が設けられている。
【００１５】
静止画データは、デコーダ１１により一旦元の静止画信号に戻されて映像音声効果部１７に供給される。動画データは、デコーダ１２により一旦元の動画信号に戻されて映像音声効果部１７に供給される。
【００１６】
ライブ動画データは、デコーダ１３により一旦元のライブ動画信号に戻されて映像音声効果部１７に供給される。音声データは、デコーダ１４により一旦元の音声信号に戻されて映像音声効果部１７に供給される。
【００１７】
映像音声効果部１７は、蓄積データ管理部１８による制御の下、各デコーダ１１〜１４の出力に対し、映像音声記録部１９への記録処理、映像音声記録部１９からの再生処理、特殊効果を加える処理、編集効果を加える処理、対応するエンコーダ１５,１６へのスルー処理のうち少なくとも１つを選択的に実行する。
【００１８】
このうち、特殊効果を加える処理としては、映像音声記録部１９中の蓄積素材同士の特殊効果付き再生、蓄積素材とライブ映像との特殊効果付き組み合わせ送出、ベースバンド映像にキー付き素材をスーパーインポーズして再生、ベースバンド映像に付加されている音声素材を別の音声素材と差替え、合成、音声レベル可変等を実行する。
【００１９】
エンコーダ１５,１６は、映像音声効果部１７の出力を符号化する。
【００２０】
蓄積データ管理部１８は、自動送出制御装置３からネットワーク４を通じて送られるプレイリストデータに従って、映像音声効果部１７に対し任意のデータの信号処理を実行させる。
【００２１】
上記構成において、以下にその運用について説明する。  
以前、映像信号または音声信号に特殊効果等を施すために、図２に示すシステムが考えられていた。
【００２２】
すなわち、ビデオサーバ２１、入力スイッチャ２２、サブスイッチャ２３，ＡＶデコンバイン２４、音声ミキサ２５、ＡＶコンバイン２６をシステム的に接続し、コントローラにより各々を個別に制御し効果付き映像として出力していた。
【００２３】
この場合、システム構成の大型化を招くことになると共に、複数のスタジオ機器をそれぞれ制御しなければならない分、処理の複雑化を招くことになる。
【００２４】
そこで、本実施形態では、１台のビデオサーバ１だけで構築できるようにした。ビデオサーバ１の構成としては、デコーダ１１〜１４、エンコーダ１５,１６、映像音声効果部１７、蓄積データ管理部１８、映像音声記録部１９で構成される。
【００２５】
動作としては、自動送出制御装置３からの効果情報が付加されたプレイリストデータがビデオサーバ１の蓄積データ管理部１８に送られる。
【００２６】
蓄積データ管理部１８では、プレイリストデータに従ってデコーダ１１〜１４からの素材と映像音声記録部１９に蓄積されている素材を映像音声効果部１７にて効果付けしてエンコーダ１５，１６に出力させる。
【００２７】
ここで、ビデオサーバ１を例えばホテル館内放送システムに適用したとする。このシステムでは、ビデオデッキ２で得られた放送番組を映像信号（動画）、主／副音声信号に振り分け、第１出力チャンネルに映像信号＋主音声信号を割り当て、第２出力チャンネルに映像信号＋副音声信号を割り当てて、それぞれエンコーダ１５,１６で符号化する。各エンコーダ１５,１６の符号化出力は客室に設置されたデジタル放送対応のテレビジョン受信機に送られる。
【００２８】
例として、映画の番組を放送する場合について説明する。まず、第１出力チャンネルでは映像に主音声である日本語をコンバインし、第２出力チャンネルでは映像に副音声である英語をコンバインする。
【００２９】
このように、本システムでは、同一素材をチャンネルごとに視聴形態を分けて送出することができる。
【００３０】
また、他の例として、適当な映像、主音声として歌手の声が入ったミュージック、副音声として歌手の声を抜き、文字多重データとして歌詞をスーパーインポーズしたビデオを送出する場合について説明する。
【００３１】
まず、第１出力チャンネルのエンコーダ１５には、映像と主音声が入力される。このため、受信機側で第１出力チャンネルを選択した場合には、映像の表示と共に、歌手の声が入ったミュージックが流れる。また、第２出力チャンネルのエンコーダ１６には、歌詞の文字が画面合成された映像と副音声が入力される。このため、受信機側で第２出力チャンネルを選択した場合には、映像と歌詞が表示されると共に、歌手の声が入っていないミュージックが流れる。この場合、カラオケとして利用可能である。
【００３２】
以上のように上記実施形態では、静止画、動画、ライブ動画、音声といった複数の放送素材データをそれぞれデコーダ１１〜１４により一旦デコードした後、自動送出制御装置３から送られるプレイリストデータに応じて、映像音声効果部１７にて映像音声記録部１９への記録処理、映像音声記録部１９からの再生処理、特殊効果を加える処理、編集効果を加える処理、対応するエンコーダ１５,１６へのスルー処理のうち少なくとも１つを選択的に実行してエンコーダ１５、１６により符号化して出力チャンネルに送出するようにしている。すなわち、以前のサブスイッチャー２３の機能や音声ミキサ２５の機能をビデオサーバ１内部のデコーダ１１〜１４、エンコーダ１５,１６、映像音声効果部１７、蓄積データ管理部１８、映像音声記録部１９で実現するようにしている。
【００３３】
従って、ニュース送出やライブ番組等の送出において、別途にサブスイッチャー２３や音声ミキサ２５等をビデオサーバ１に接続する必要がなく、１台のビデオサーバ１のみで蓄積された静止画、動画、音声素材及びライブ映像に特殊効果等を付加することができ、これにより多彩な演出が可能となる。また、設備費、設置スペース、電源容量の増大が少なくてすみ、同期処理等が不要となる分、システム構成が簡略化され、低価格化を実現することもできる。
【００３４】
また、特殊再生としては、蓄積素材同士の特殊効果付き再生、蓄積素材とライブ映像と特殊効果付き組み合わせ送出、キー付素材をベース映像にスーパーインポーズして再生、ベース映像にコンバインされている音声を別音声素材と差し替えたり、ミキシングしたり、音声レベルを可変したりと、多彩な音声効果を付加することが可能となる。
【００３５】
さらに、編集機能として、プレイリストに変更が生じてもノンリニア編集のようにレンダリングすることなく、再生リストデータに従って編集効果付き再生が可能となり、また、同じ素材でもプレイリストデータの指定によりエンコーダ１５,１６から同時に異なる演出で再生が可能となる。
【００３６】
なお、上記実施形態では、入力４チャンネル、出力２チャンネルの場合について説明したが、さらに多数のチャンネルを有する場合でも同様に実施可能である。
【００３７】
その他、本発明は上記実施形態に限定されるものではなく、種々変形して実施可能である。
【図面の簡単な説明】
【００３８】
【図１】この発明に係わるビデオサーバが適用される放送送出システムの概略構成を示すブロック図。
【図２】以前に考えられていたビデオサーバを使用したシステムを示すブロック図。
【符号の説明】
【００３９】
１…ビデオサーバ、２…ビデオデッキ、３…自動送出制御装置、４…ネットワーク、１１〜１４…デコーダ、１５,１６…エンコーダ、１７…映像音声効果部、１８…蓄積データ管理部、１９…映像音声記録部、２２…入力スイッチャー、２３…サブスイッチャー、２４…ＡＶデコンバイン、２５…音声ミキサ、２６…ＡＶコンバイン。
【図１】
2007243573.tif 000003
【図２】
2007243573.tif 000004